(57)【要約】【課題】自走式のバトル玩具を中央側に寄せる機能を持つスタジアム玩具を提供する。【解決手段】バトル用玩具をバトルさせるために使用されるスタジアム玩具であって、フィールドの周りに配設される複数のポストと、隣り合う前記ポストに各端部が係着される棒状部材と、前記棒状部材をその軸線の周りに回転駆動させる回転駆動装置とを備え、前記棒状部材の周囲にはその軸線方向に沿って螺旋部が形成されていることを特徴とする。【選択図】          図１
2004173917.tif 000002
【特許請求の範囲】
【請求項１】
バトル用玩具をバトルさせるために使用されるスタジアム玩具であって、横方向に延在する棒状部材の周囲に突起部を設け、前記棒状部材の軸線周りの回転に基づく前記突起部の動作によって、前記棒状部材近くの前記バトル用玩具を中央側に押し出すように構成したことを特徴とするスタジアム玩具。
【請求項２】
バトル用玩具をバトルさせるために使用されるスタジアム玩具であって、フィールドの周りに配設される複数のポストと、隣り合う前記ポストに各端部が係着される棒状部材と、前記棒状部材をその軸線の周りに回転駆動させる回転駆動装置とを備え、前記棒状部材の周囲にはその軸線方向に沿って螺旋部が形成されていることを特徴とするスタジアム玩具。
【請求項３】
前記回転駆動装置は手動式の回転駆動装置であって、前記複数のポストのうちの１つに入力用ハンドルが付設されていることを特徴とする請求項２記載のスタジアム玩具。
【請求項４】
前記回転駆動装置は電動式の回転駆動装置であって、前記複数のポストのうちの１つに前記回転駆動装置の動力源であるモータと電源である電池とが付設されることを特徴とする請求項２記載のスタジアム玩具。
【請求項５】
前記回転駆動装置として手動式の回転駆動装置と電動式の回転駆動装置との双方を備えることを特徴とする請求項２記載のスタジアム玩具。
【請求項６】
同一高さレベルで前記フィールドを囲うように前記棒状部材が複数設けられ、これら複数の棒状部材は、連動するように前記ポスト内にて歯車で連結されていることを特徴とする請求項２〜５いずれか一に記載のスタジアム玩具。
【発明の詳細な説明】
【０００１】
【発明の属する技術分野】
本発明は、自走式のバトル玩具のバトルに使用されるスタジアム玩具に関するものである。ここに「自走式のバトル玩具」とはゼンマイやモータ等の駆動源を有し、その駆動源によって走行したり回転したりする玩具をいう。
【０００２】
【従来の技術】
この種のスタジアム玩具として、自走式のバトル玩具（例えばロボット玩具やコマ）のバトルに使用されるものが知られている（非特許文献１参照）。このスタジアム玩具はフィールドを取り囲むフェンスが１０角形に形成されており、所々フェンスの高さが低くなっているものである。
【０００３】
【非特許文献１】
インターネット＜ＵＲＬ：ｈｔｔｐ：／／ｇｅａｒ．ｃｈａｎｎｅｌ．ｏｒ．ｊｐ／＞
【０００４】
【発明が解決しようとする課題】
しかしながら、上記スタジアム玩具では、フェンス自体は動作しないため、自走式のバトル玩具が自ら方向転換機能を有する場合は兎も角、自走式のバトル玩具自体が方向転換機能を有しない場合、若しくは自走式のバトル玩具の方向転換機能が乏しい場合にはバトル玩具をフィールドの中央に寄せるのが難しいという問題がある。
【０００５】
本発明は、かかる点に鑑みてなされたもので、自走式のバトル玩具を中央側に寄せる機能を持つスタジアム玩具を提供することを目的としている。
【０００６】
【課題を解決するための手段】
第１の手段に係るスタジアム玩具は、バトル用玩具をバトルさせるために使用されるスタジアム玩具であって、横方向に延在する棒状部材の周囲に突起部を設け、前記棒状部材の軸線周りの回転に基づく前記突起部の動作によって、前記棒状部材近くの前記バトル用玩具を中央側に押し出すように構成したことを特徴とする。
このスタジアム玩具によれば、突起部の動作によって、棒状部材近くに存在するバトル用玩具が中央側に寄せられる。その結果、例えば進行方向に指向性を持つ自走式バトル玩具がフィールドの縁に滞在することが防止される。
【０００７】
第２の手段に係るスタジアム玩具は、フィールドの周りに配設される複数のポストと、方向で隣り合う前記ポストに各端部が係着される棒状部材と、前記棒状部材をその軸線の周りに回転駆動させる回転駆動装置とを備え、前記棒状部材の周囲にはその軸線方向に沿って螺旋部が形成されていることを特徴とする。この場合の「フィールド」とはバトル玩具がバトルを行うための領域を言い、バトル専用の特別なフィールドであることを要しない。
このスタジアム玩具によれば、回転駆動装置により回転する棒状部材の螺旋部によって、バトルの際にその螺旋部に当接した自走式バトル玩具の向きが変更させられる。その結果、例えば進行方向に指向性を持つ自走式バトル玩具が中央側に寄せられ、フィールドの縁に滞在することが防止される。
【０００８】
第３の手段に係るスタジアム玩具は、第２の手段に係るスタジアム玩具において、前記回転駆動装置は手動式の回転駆動装置であって、前記複数のポストのうちの１つに入力用ハンドルが付設されていることを特徴とする。
このスタジアム玩具によれば、入力用ハンドルを操作することで、棒状部材が回転する。この入力用ハンドルの操作は、特に限定はされないが、自走式バトル玩具が螺旋部に当接する直前か、あるいは直後に行うことが好ましい。
【０００９】
第４の手段に係るスタジアム玩具は、第２の手段に係るスタジアム玩具において、前記回転駆動装置は電動式の回転駆動装置であって、前記複数のポストのうちの１つに前記回転駆動装置の動力源であるモータと電源である電池とが付設されることを特徴とする。
このスタジアム玩具によれば、モータの作動によって棒状部材が回転する。この場合、モータは、特に限定はされないが、バトルの間中作動させておくことが好ましい。
【００１０】
第５の手段に係るスタジアム玩具は、請求項２記載のスタジアム玩具において、前記回転駆動装置として手動式の回転駆動装置と電動式の回転駆動装置との双方を備えることを特徴とする。
このスタジアム玩具によれば、手動式の回転駆動装置と電動式の回転駆動装置との双方を備えるので、それらを選択的に使用することで、自走式バトル玩具の向きの変更スピードを適宜に変更することができる。
【００１１】
第６の手段に係るスタジアム玩具は、第２〜５いずれか一の手段に係るスタジアム玩具において、同一高さレベルで前記フィールドを囲うように前記棒状部材が複数設けられ、これら複数の棒状部材は、連動するように前記ポスト内にて歯車で連結されていることを特徴とする。
このスタジアム玩具によれば、フィールドを囲む棒状部材が回転することになるので、自走式バトル玩具がフィールドの縁に滞在することが防止される。
【００１２】
【発明の実施の形態】
１．全体構成
図１はスタジアム玩具の斜視図である。スタジアム玩具１００はバトル玩具として例えば自走式のロボット同士、コマ同士等で格闘を行わせるために使用される。このスタジアム玩具１００はフィールド１０、４個のポスト２０，４本の上部棒状部材３０、４本の下部棒状部材４０、電動式の回転駆動装置５０（図３（ｂ）参照）および手動式の回転駆動装置６０（図７（ｂ）参照）を具備している。
【００１３】
２．細部構成
（１）フィールド１０
フィールド１０は、自走式のバトル玩具をバトルさせるためのフィールドを構成するもので、床面上に敷設される。このフィールド１０は、特に制限はされないが、ビニールシートまたは紙等によって方形（必ずしも方形でなくてもよい。）に形成され、表面にはバトルに適した絵柄が施されている。ただし、このフィールド１０は、発明にとって必須のものではない。
【００１４】
（２）ポスト２０および回転駆動装置５０、６０
▲１▼ポスト２０ａ
４つのポスト２０のうちの２つ（符号２０ａを使用する）は図２（ａ）、（ｂ）に示す上箱２２Ａおよび下箱２１Ａから構成され、上から見た場合に４隅が面取りされた形状となっている。同図（ａ）は上箱２２Ａを下側から見た場合の斜視図、同図（ｂ）は下箱２１Ａを上側から見た場合の斜視図である。
このうち下箱２１Ａは上端が解放された構造となっている。下箱２１Ａには２つの軸筒２３ａが配設されている。２つの軸筒２３ａは、下箱２１Ａのほぼ中央から、隣り合う面取り部に向けて延在している。２つの軸筒２３ａの内端には傘歯車２３ｂが付設されている。傘歯車２３ｂの頂部には図３に示すように角状の差込み口２３ｃが形成されている。また、２つの軸筒２３ａの外端部は面取り部から突出している。この外端面には角状の差込み口２３ｊが形成されている。
一方、上箱２２Ａには係合ピン２３ｃが付設され、この係合ピン２３ｃを下箱２１Ａの係合穴２３ｅに嵌合することにより、上箱２２Ａは下箱２１Ａに組み付けられる。なお、上箱２２Ａを下箱２１Ａにねじによって組み付けてもよい。また、上箱２１Ａの上面には前記２つの軸筒２３ａが突出する面取り部近くに、図４に示すように、上部棒状部材３０を差し込むための差込み口２３ｋが設けられている。
【００１５】
▲２▼ポスト２０ｂ
１）残りのポスト２０のうちの１つ（符号２０ｂを使用する）は図５（ａ）、（ｂ）に示す上箱２２Ｂおよび下箱２１Ｂから構成され、上から見た場合に４隅が面取りされた形状となっている。同図（ａ）は上箱２２Ｂを下側から見た場合の斜視図、同図（ｂ）は下箱２１Ｂを上側から見た場合の斜視図である。
このうち下箱２１Ｂは上端が解放された構造となっている。下箱２１Ｂには２つの軸筒２３ｆが配設されている。２つの軸筒２３ｆは、下箱２１Ｂの隣り合う２つの面取り部に配置されている。また、面取り部から突出している２つの軸筒２３ｆの外端面には角状の差込み口２３ｌが形成されている。
一方、上箱２２Ｂの底板には係合ピン２３ｇが付設され、この係合ピン２３ｇを下箱２１Ｂの係合穴２３ｈに嵌合することにより、上箱２２Ｂは下箱２１Ｂに組み付けられる。なお、上箱２２Ｂを下箱２１Ｂにねじによって組み付けてもよい。また、上箱２２Ｂの上面には前記２つの軸筒２３ｆが突出する面取り部近くに、上部棒状部材３０を差し込むための差込み口（前記差込み口２３ｋと同様なもの）が設けられている。
以上のように構成されたポスト２０ｂの下箱２１Ｂ内には電動式の回転駆動装置５０が設置されている。
【００１６】
▲３▼電動式の回転駆動装置５０
電動式の回転駆動装置５０は電池５１、モータ５２、歯車機構５３とを含んで構成されている。
電池５１としては特に限定はされないが単三の電池２本が使用されている。
歯車機構５３は、図６に示すように、モータ軸に付設された歯車５３ａと、モータ軸と平行な軸５４に付設され前記歯車５３ａに噛合する歯車５３ｂと、前記軸５４に付設され前記歯車５３ｂと一体的に回転する歯車５３ｃと、前記軸５４と平行な軸５５に付設され前記歯車５３ｃに噛合する歯車５３ｄと、前記軸５５に付設され歯車５３ｄと一体的に回転する歯車５３ｅと、前記軸５４に付設され前記歯車５３ｅに噛合する歯車５３ｆと、を含んで構成されている。
このうち、歯車５３ｃと５３ｆが付設される軸５４には２つの軸筒２３ｆのうちの一方が付設され、歯車５３ｆと一体的に回転するように構成されている。なお、ちなみに、他方の軸筒２３ｆは空転可能に下箱２１Ｂに取り付けられている。
以上のように構成された電動式の回転駆動装置５０においては、下箱２１Ｂに設けられた電源スイッチ５６をＯＮにすることで、モータ５２が作動するようになっている。
【００１７】
▲４▼ポスト２０ｃ
１）最後に説明するポスト２０ｃは図７（ａ）、（ｂ）に示す上箱２２Ｃおよび下箱２１Ｃから構成され、上から見た場合に４隅が面取りされた形状となっている。同図（ａ）は上箱２２Ｃを下側から見た場合の斜視図、同図（ｂ）は下箱２１Ｃを上側から見た場合の斜視図である。
このうち下箱２１Ｃは上端が解放された構造となっている。下箱２１Ｃには２つの軸筒２３ｍが配設されている。２つの軸筒２３ｍは、下箱２１Ｃのほぼ中央から隣り合う面取り部に向けて延在している。２つの軸筒２３ｍの一端には傘歯車２３ｎが付設されている。傘歯車２３ｎの頂部には図８に示すように角状の差込み口２３ｏが形成されている。また、２つの軸筒２３ｍの外端部は面取り部から突出している。この外端面には角状の差込み口２３ｐが形成されている。
一方、上箱２２Ｃには係合ピン２３ｑが付設され、この係合ピン２３ｑを下箱２１Ｃの係合穴２３ｒに嵌合することにより、上箱２２Ｃは下箱２１Ｃに組み付けられる。なお、上箱２２Ｃを下箱２１Ｃにねじによって組み付けてもよい。また、上箱２２Ｃの上面には前記２つの軸筒２３ｍが突出する面取り部近くに、上部棒状部材３０を差し込むための差込み口（前記差込み口２３ｋと同様なもの）が設けられている。
以上のように構成されたポスト２０ｃの下箱２１Ｃ内には手動式の回転駆動装置６０が設置されている。
【００１８】
▲５▼手動式の回転駆動装置６０
手動式の回転駆動装置６０は、上箱２２Ｃに付設されるハンドル６１（図１参照）と、歯車機構６２とを含んで構成されている。
歯車機構６２は、図９に示すように、ハンドル軸に付設された歯車６２ａと、下箱２１Ｃに設置され前記ハンドル軸と平行な軸６３に付設され前記歯車６２ａに噛合する歯車６２ｂと、前記軸６３に付設され前記歯車６２ｂと一体的に回転する歯車６２ｃと、下箱２１Ｃに設置され前記軸６３と平行な軸６４に付設され前記歯車６２ｃに噛合する歯車６２ｄと、を含んで構成されている。
このうち、歯車６２ｄが付設される軸６４の一端には図８に示すように角状部材６５が付設され、この角状部材６５は、傘歯車２３ｎの頂部に形成された角穴２３ｏに嵌合している。
以上のように構成された手動式の回転駆動装置６０においては、ハンドル６１を回すことで、２つの軸筒２３ｍが回転するようになっている。
【００１９】
▲６▼上部棒状部材３０
上部棒状部材３０は、図３に示すように、角状の棒状部材３０ａと、両端に垂設された角状の差込み部３０ｂとを具備している。そして、上箱２２Ｂの上面に形成した差込み口２３ｋ等に前記角状の差込み部３０ｂを差し込むことで、上部棒状部材３０は上箱２２Ｂに固定されるように構成されている。なお、上部棒状部材３０はロープ等であってもよい。
【００２０】
▲７▼下部棒状部材４０
下部棒状部材４０は、特に限定はされないが丸棒４０ａの外周にその軸線方向に沿って延びる螺旋部４０ｂを設けたものである。この下部棒状部材４０の両端にはそれぞれ角状の差込み部（図示せず）が形成されている。この差込み部が軸筒２３ａ、２３ｆ、２３ｍの外端の角状の差込み口２３ｊ、２３ｌ、２３ｐに差し込まれることで、下部棒状部材４０はポスト２０に取り付けられる。
【００２１】
（３）動作
電源スイッチ５６をＯＮにすることで、モータ５２が作動し下部棒状部材４０が回転する。そして、この下部棒状部材４０を回転させたままの状態を維持し、フィールド１０上で自走式バトル玩具同士を闘わせる。自走式バトル玩具が下部棒状部材４０、より具体的には螺旋部４０ｂに接触すると、螺旋部４０ｂとの間に働く摩擦力によって自走式バトル玩具の向きが変えられる。これにより、自走式バトル玩具がフィールド１０の縁に滞在することを回避させることができる。また、電動式の回転駆動装置５０の代わりに手動式の回転駆動装置６０を使用する場合には、ハンドル６１を回すことで、下部棒状部材４０が回転する。そして、この下部棒状部材４０の回転によって、自走式バトル玩具がフィールド１０の縁に滞在することを回避させることができる。
【００２２】
以上、本発明の実施形態について説明したが、本発明は、かかる実施形態に限定されものでなく、その要旨を逸脱しない範囲で種々変形可能であることはいうまでもない。
【００２３】
例えば、前記実施形態では、電動式の回転駆動装置５０が作動すると、ハンドル６１も回転することとなるが、ハンドル６１と下部棒状部材４０との間に、クラッチ片同士がばねの作用によって噛合する面クラッチを介在させてハンドル６１の回転を阻止するようにしてもよい。
【００２４】
また、手動式の回転駆動装置６０のハンドル６１を回転させると、モータ軸も回転することになるが、モータ軸と下部棒状部材４０との間に、クラッチ片同士がばねの作用によって噛合する面クラッチを介在させてモータ軸の回転を阻止するようにしてもよい。
【００２５】
さらに、棒状部材４０はフェンスと併せて設けてもよい。この場合には、フェンスから棒状部材４０を露出させるようにしておけばよい。
【００２６】
以上、本発明の実施形態について説明したが、本発明は、かかる実施形態に限定されるものではなく、その要旨を逸脱しない範囲で、種々変形が可能であることはいうまでもない。
【００２７】
例えば、前記螺旋部４０ｂに代えて放射方向に突出する突起部を設けてもよい。また、この突出部は軸線方向に所定間隔で複数設けてもよいし、この場合、突出部を螺旋状に並べてもよい。このような構造とすれば、バトル玩具の幅方向の中心から偏った位置を押した際に、バトル玩具の向きを変更することが可能である。
【００２８】
【発明の効果】
本発明の代表的なものの効果を説明すれば、フィールドの各隅に配設される複数のポストと、隣り合う前記ポストに各端部が係着される棒状部材と、前記棒状部材をその軸線の周りに回転駆動させる回転駆動装置とを備え、前記棒状部材の周囲にはその軸線方向に沿って螺旋部が形成されているので、バトルの際にその螺旋部に当接したバトル玩具の向きが変更させられる。その結果、例えば進行方向に指向性を持つバトル玩具がフィールドの縁に滞在することが防止される。
【図面の簡単な説明】
【図１】本発明に係るスタジアム玩具の斜視図である。
【図２】本発明に係るスタジアム玩具の２つのポストの分解斜視図である。
【図３】図２のポストに設けられる軸筒の端部を示す図である。
【図４】図２のポストへの上部棒状部材の取付構造を示す図である。
【図５】本発明に係るスタジアム玩具の他のポストの分解斜視図である。
【図６】図５のポストに組み込まれた回転駆動装置の歯車機構の構成図である。
【図７】本発明に係るスタジアム玩具のさらに他のポストの分解斜視図である。
【図８】図７のポストに設けられる軸筒の端部を示す図である。
【図９】図７のポストに組み込まれた回転駆動装置の歯車機構の構成図である。
【符号の説明】
１００    スタジアム玩具
１０      フィールド
２０      ポスト
４０      下部棒状部材（棒状部材）
４０ｂ    螺旋部
５０      電動式回転駆動装置
６０      手動式回転駆動装置
【図１】
2004173917.tif 000003
【図２】
2004173917.tif 000004
【図３】
2004173917.tif 000005
【図４】
2004173917.tif 000006
【図５】
2004173917.tif 000007
【図６】
2004173917.tif 000008
【図７】
2004173917.tif 000009
【図８】
2004173917.tif 000010
【図９】
2004173917.tif 000011